(57)【要約】      （修正有）【課題】ペットの体温を保持しつつ、ペットと飼い主とのコミュニケーション及びスキンシップを向上させることが可能なペット用布体を提供する。【解決手段】ペット用布体は、ペットを収容するとともに、ペットの出入りのための開口部７を有する布製の本体２と、ユーザの手が挿入されるように本体の外面から本体の内側に向かって延びる袋状の手挿入部３、４と、手挿入部に設けられたブラシ５、６と、を具備する。手挿入部が、先端部に、ユーザの指を収納するために複数に区画された指収納部を有していてもよい。また、ブラシは、ユーザの手のひらに対応する位置に配置されていてもよい。【選択図】図１
0003222208.tif 000002
【実用新案登録請求の範囲】
【請求項１】
ペットを収容するとともに、前記ペットの出入りのための開口部を有する布製の本体と、
ユーザの手が挿入されるように前記本体の外面から前記本体の内側に向かって延びる袋状の手挿入部と、
前記手挿入部に設けられたブラシと、
を具備することを特徴とするペット用布体。
【請求項２】
前記手挿入部は、先端部に、前記ユーザの指を収納するために複数に区画された指収納部を有すること、
を特徴とする請求項１に記載のペット用布体。
【請求項３】
前記ブラシは、前記ユーザの手のひらに対応する位置に配置されていること、
を特徴とする請求項１又は２に記載のペット用布体。
【考案の詳細な説明】
【技術分野】
【０００１】
本考案は、ペット用布体に関し、特に、ブラシを含むペット用布体に関する。
【背景技術】
【０００２】
例えば、猫などのペットに羽織らせる又は敷物として使用される、ブランケットなどのペット用毛布ないし寝床が知られている（例えば特許文献１）。
【先行技術文献】
【特許文献】
【０００３】
【特許文献１】特開２０１２−１５７２５６号公報
【考案の概要】
【考案が解決しようとする課題】
【０００４】
しかしながら、上記のようなペット用毛布では、ペットを足元まで覆うことが難しくペットの体温を保持することが困難である。また、飼い主がペットを抱き上げる際にペット用毛布がはだけて脱落する恐れもある。そのため、飼い主がペットの体温を保持しつつ、抱擁及びスキンシップを十分に取ることができない。
【０００５】
そこで、本考案は、ペットの体温を保持しつつ、ペットと飼い主とのコミュニケーション及びスキンシップを向上させることが可能なペット用布体の提供を目的とする。
【課題を解決するための手段】
【０００６】
上述した課題を解決すべく、本考案は、ペットを収容するとともに、前記ペットの出入りのための開口部を有する布製の本体と、ユーザの手が挿入されるように前記本体の外面から前記本体の内側に向かって延びる袋状の手挿入部と、前記手挿入部に設けられたブラシと、を具備することを特徴とするペット用布体を提供する。
【０００７】
上記のような構成を有する本考案のペット用布体では、前記手挿入部が、先端部に、前記ユーザの指を収納するために複数に区画された指収納部を有すること、が好ましい。
【０００８】
また、上記のような構成を有する本考案のペット用布体では、前記ブラシが、前記ユーザの手のひらに対応する位置に配置されていること、が好ましい。
【考案の効果】
【０００９】
本考案のペット用布体を用いることにより、ペットの体温を保持しつつ、ペットと飼い主とのコミュニケーション及びスキンシップを向上させることができる。
【図面の簡単な説明】
【００１０】
【図１】本考案の一実施形態に係るペット用布体１の模式図である。
【考案を実施するための形態】
【００１１】
以下、本考案の代表的な実施形態に係るペット用布体について、図面を参照しつつ詳細に説明する。なお、図面は、本考案を概念的に説明するためのものであるから、理解容易のために、必要に応じて寸法、比又は数を誇張又は簡略化して表している場合もある。
【００１２】
まず、本実施形態に係るペット用布体１の構成を説明する。ここでは、ペット用布体１の一例として猫用ベッドを挙げて説明するが、本考案は、例えば犬、うさぎ、フェレットのような他の動物のための布製品にも適用できる。
【００１３】
ペット用布体１は、ペットを内部に収容することができる布製品である。図１に示すとおり、ペット用布体１は、概ねドーム状ないし有底筒状の本体２と、本体２に設けられた一対の手挿入部３，４と、手挿入部３，４に取り付けられたブラシ５，６と、を含む。なお、本体２は、ドーム状又は有底筒状に限られず、例えば袋状に形成されてもよい。
【００１４】
本体２は、ペットを収容する布部材であり、頭部及び四肢の一部分を除いて、ペットのほぼ全身を覆う。本体２は、一定の柔軟性を有しながらも形状を保持できる程度の強度を有しており、シェルターとしても機能するから、本体２内のペットに安心感を与えることができる。
【００１５】
本実施形態において、本体２は、保温性に優れた布地で作製されている。例えば、本体２の外面は、フリース生地等の比較的短い起毛を有する布地で作製され、本体２の内面は、ボア生地等の長い起毛を有する布地で作製されている。比較的短い起毛を有する布地は、保温性を有し、良好な手触りを提供し、しかも起毛が絡みつきにくい。また、比較的長い起毛を有する布地は、高い保温性及び適度なクッション性を有する。
【００１６】
本体２は、ペットである猫が出入りし易いように大き目の開口部７を有する。開口部７において本体２の内面側の布地が折り返されて、開口部７の外面側に及んでいる。あるいは、開口部７及びその近傍では、本体２の内面側の布地が外部に露出していると言ってもよい。このため、本体２の外部に出ているペットの前足や頭部が比較的長い起毛生地に接触し、ペットの体温の低下を抑制することができる。
【００１７】
本体２には、開口部７を挟んで向かい合うように、袋状の手挿入部３，４が取り付けられている。手挿入部３，４は、飼い主などのユーザの手Ｒ．Ｌを挿入するために本体２の外面から本体２の内側に延びる。換言すれば、手挿入部３，４は、ユーザの指先から腕の一部分までを覆う手袋のような部材であるとも言える。手挿入部３，４は、比較的長い起毛の布地で作製されてもよいし、比較的短い起毛の布地で作製されてもよい。
【００１８】
手挿入部３，４は、本実施形態では略矩形の袋状であり、その先端部は、ユーザの指を挿入するために幾つかの区画に分かれている。手挿入部３，４の先端は、例えば図１に例示するように、親指の収納区画３Ａ，４Ａ、人差し指及び中指の収納区画３Ｂ，４Ｂ、並びに薬指及び小指の収納区画３Ｃ，４Ｃの３区画に分けられてもよい。あるいは、手挿入部３，４の先端は、親指の収納区画と、残りの４本の指の収納区画と、の２区画に分けられていても、各指を収納するために５区画に分けられていてもよい。いずれの場合でも、各区画は他の区画から独立して動かすことができ、これにより手挿入部３，４内の指の可動域が広がる。
【００１９】
手挿入部３，４においてユーザの手のひらに対応する位置には、接着剤によってブラシ５，６が取り付けられている。本実施形態では、ブラシ５，６は、手挿入部３，４の両方に設けられているが、ブラシは手挿入部３，４のうちいずれか一方にのみ設けられてもよい。
【００２０】
ブラシ５，６は、例えばシリコーンゴムのような合成樹脂などの可撓性を有する材料で作製され、ペットの体形に沿って変形する程度の柔軟性を有している。ブラシ５，６は複数の突起を有しており、ユーザは、本体２内のペットをブラシ５，６で撫でることで、ペットのブラッシング、抜け毛取り及びマッサージをすることができる。
【００２１】
次いで、ペット用布体１の使用方法を説明する。
ユーザは、ペットを開口部７から本体２内に入れた状態で、ペット用布体１を抱き抱える。あるいは、ユーザは、ペット用布体１を抱き抱えた状態で、ペットを開口部７から本体２内に入れてもよい。いずれの場合でも、開口部７がユーザの方向を向くように、つまりユーザからペットの顔が見えるように、ペット用布体１を配置することが好ましい。
【００２２】
次に、ユーザは、手Ｒ，Ｌを手挿入部３，４へ挿入する。そして、ユーザは、ペット用毛布１内のペットの様子を見ながら、ペットを抱擁したり、ブラシ５，６でペットを撫でたりすることができる。このとき、ユーザは、手Ｒ，手挿入部３，４内でＬの指先を比較的自由に動かすことができるので、手Ｒ，Ｌを保温しつつペットと多様なコミュニケーションを楽しむことができる。
【００２３】
このように、本実施形態に係るペット用布体１によれば、ペットの体温の保持だけではなく、ペットとユーザとのコミュニケーション及びスキンシップを効果的に実現することができる。したがって、ユーザは、ペットとの間に良好な関係を構築及び増進することが期待できる。
【００２４】
以上、本考案の実施形態について図面を参照しつつ説明してきたが、本考案は、これらの実施形態に限定されるものではなく、実用新案登録請求の範囲の記載の精神及び教示を逸脱しない範囲でその他の改良例、変形が存在することを当業者に容易に理解される。
【００２５】
本実施形態では、本体２は概ねドーム状ないし有底筒状であるとしたが、本体２は袋状でもよい。例えば、本体２を袋状のブランケットで構成することができる。この場合、本体２は、ペットの身体に沿って変形するから、保温性が高まる。
【符号の説明】
【００２６】
１・・・ペット用布体、
２・・・本体、
３，４・・・手挿入部、
５，６・・・ブラシ、
７・・・開口部。
【図１】
0003222208.tif 000003